【手続補正書】
【提出日】平成17年1月20日(2005.1.20)
【手続補正１】
【補正対象書類名】明細書
【補正対象項目名】発明の名称
【補正方法】変更
【補正の内容】
【発明の名称】回転磁気ヘッド型装置及び記録再生装置
【手続補正２】
【補正対象書類名】明細書
【補正対象項目名】特許請求の範囲
【補正方法】変更
【補正の内容】
【特許請求の範囲】
【請求項１】
磁気抵抗効果型ヘッドと、
前記磁気抵抗効果型ヘッドに動作電流を供給する電流供給回路と、
前記磁気抵抗効果型ヘッドの再生信号を増幅する再生増幅回路と、
記録媒体の種類を判別する記録媒体判別回路と、
前記再生増幅回路の利得を制御する制御信号を生成する制御信号生成回路と、
前記制御信号生成回路から伝送された前記制御信号のデータ識別を行うデコーダ回路と、を備え、
前記制御信号生成回路は、前記記録媒体判別回路の判別結果に基づき制御信号を生成し、
前記デコーダ回路は、前記制御信号を識別して前記再生増幅回路の利得を制御することを特徴とする回転磁気ヘッド型装置。
【請求項２】
回転ドラム上に、磁気抵抗効果型ヘッドと、前記磁気抵抗効果型ヘッドに動作電流を供給する電流供給回路と、前記磁気抵抗効果型ヘッドの再生信号を増幅する再生増幅回路とを搭載して、磁気テープ上に記録された情報信号を再生する回転磁気ヘッド型装置において、
前記磁気テープが収められたテープカートリッジに設けられた検出孔の開閉状態から前記磁気テープの種類を判別する磁気テープ判別回路と、
前記再生増幅回路の利得を制御するための制御信号を生成する制御信号生成回路とを装置固定側に備え、
前記制御信号生成回路から伝送された前記制御信号のデータ識別を行うデコーダ回路を前記回転ドラム上に備え、
前記制御信号生成回路は前記磁気テープ判別回路の判別結果に基づき制御信号を生成し、前記デコーダ回路は伝送された前記制御信号を識別して前記再生増幅回路の利得を制御することを特徴とする回転磁気ヘッド型装置。
【請求項３】
回転ドラム上に、磁気抵抗効果型ヘッドと、前記磁気抵抗効果型ヘッドに動作電流を供給する電流供給回路と、前記磁気抵抗効果型ヘッドの再生信号を増幅する再生増幅回路とを搭載して、磁気テープ上に記録された情報信号を再生する回転磁気ヘッド型装置において、
前記再生増幅回路から伝送される信号のクロック周波数を検出する伝送信号クロック検出回路と、
前記再生増幅回路の利得を制御するための制御信号を生成する制御信号生成回路とを装置固定側に備え、
前記制御信号生成回路から伝送された前記制御信号のデータ識別を行うデコーダ回路を前記回転ドラム上に備え、
前記制御信号生成回路は前記伝送信号クロック検出回路の検出結果に基づき制御信号を生成し、前記デコーダ回路は伝送された前記制御信号を識別して前記再生増幅回路の利得を制御することを特徴とする回転磁気ヘッド型装置。
【請求項４】
回転ドラム上に、磁気抵抗効果型ヘッドと、前記磁気抵抗効果型ヘッドに動作電流を供給する電流供給回路と、前記磁気抵抗効果型ヘッドの再生信号を増幅する再生増幅回路とを搭載して、磁気テープ上に記録された情報信号を再生する回転磁気ヘッド型装置において、
前記再生増幅回路から伝送される信号の出力レベルを検出する信号レベル検出回路と、
前記再生増幅回路の利得を制御するための制御信号を生成する制御信号生成回路とを装置固定側に備え、
前記制御信号生成回路から伝送された前記制御信号のデータ識別を行うデコーダ回路を前記回転ドラム上に備え、
前記制御信号生成回路は前記信号レベル検出回路の検出結果に基づき制御信号を生成し、前記デコーダ回路は伝送された前記制御信号を識別して前記再生増幅回路の利得を制御することを特徴とする回転磁気ヘッド型装置。
【請求項５】
請求項４記載の回転磁気ヘッド型装置において、前記信号レベル検出回路はＡ／Ｄ変換器で構成されることを特徴とする回転磁気ヘッド型装置。
【請求項６】
請求項２ないし５のいずれか１項に記載の回転磁気ヘッド型装置において、
前記回転ドラム上に少なくとも２個の前記磁気抵抗効果型ヘッドを１８０°対向位置に取り付けるとともに、前記磁気テープを前記回転ドラムの約１８０°分巻き付け、
前記制御信号生成回路は前記各磁気抵抗効果型ヘッドが前記磁気テープに接触する期間毎に制御信号を生成し、前記デコーダ回路は再生する各磁気抵抗効果型ヘッド毎に前記再生増幅回路の利得を制御することを特徴とする回転磁気ヘッド型装置。
【請求項７】
磁気ヘッドと、
前記磁気ヘッドの再生信号を増幅する再生増幅回路と、
磁気テープの種類を判別する磁気テープ判別回路と、
前記再生増幅回路の利得を制御するための制御信号を生成する制御信号生成回路と、
前記制御信号生成回路から伝送された前記制御信号のデータ識別を行うデコーダ回路と、
前記制御信号生成回路は、前記磁気テープ判別回路の判別結果に基づき制御信号を生成し、
前記制御信号は、ロータリートランスを介して前記デコーダ回路に伝送され、
前記デコーダ回路は、前記制御信号を識別して前記再生増幅回路の利得を制御することを特徴とする回転磁気ヘッド型装置。
【請求項８】
回転ドラム上に、磁気ヘッドと、前記磁気ヘッドの再生信号を増幅する再生増幅回路とを搭載して、磁気テープ上に記録された情報信号を再生する回転磁気ヘッド型装置において、
前記磁気テープが収められたテープカートリッジに設けられた検出孔の開閉状態から前記磁気テープの種類を判別する磁気テープ判別回路と、
前記再生増幅回路の利得を制御するための制御信号を生成する制御信号生成回路とを装置固定側に備え、
前記制御信号生成回路から伝送された前記制御信号のデータ識別を行うデコーダ回路を前記回転ドラム上に備え、
前記制御信号生成回路は前記磁気テープ判別回路の判別結果に基づき制御信号を生成し、
前記制御信号はロータリートランスを介して前記デコーダ回路に伝送し、
前記デコーダ回路は伝送された前記制御信号を識別して前記再生増幅回路の利得を制御することを特徴とする回転磁気ヘッド型装置。
【請求項９】
回転ドラム上に、磁気ヘッドと、前記磁気ヘッドの再生信号を増幅する再生増幅回路とを搭載して、磁気テープ上に記録された情報信号を再生する回転磁気ヘッド型装置において、
前記再生増幅回路から伝送される信号のクロック周波数を検出する伝送信号クロック検出回路と、
前記再生増幅回路の利得を制御するための制御信号を生成する制御信号生成回路とを装置固定側に備え、
前記制御信号生成回路から伝送された前記制御信号のデータ識別を行うデコーダ回路を前記回転ドラム上に備え、
前記制御信号生成回路は前記伝送信号クロック検出回路の検出結果に基づき制御信号を生成し、
前記制御信号はロータリートランスを介して前記デコーダ回路に伝送し、
前記デコーダ回路は伝送された前記制御信号を識別して前記再生増幅回路の利得を制御することを特徴とする回転磁気ヘッド型装置。
【請求項１０】
回転ドラム上に、磁気ヘッドと、前記磁気ヘッドの再生信号を増幅する再生増幅回路とを搭載して、磁気テープ上に記録された情報信号を再生する回転磁気ヘッド型装置において、
前記再生増幅回路から伝送される信号の出力レベルを検出する信号レベル検出回路と、
前記再生増幅回路の利得を制御するための制御信号を生成する制御信号生成回路とを装置固定側に備え、
前記制御信号生成回路は前記信号レベル検出回路の検出結果に基づき制御信号を生成し、
前記制御信号はロータリートランスを介して前記デコーダ回路に伝送し、
前記デコーダ回路は伝送された前記制御信号を識別して前記再生増幅回路の利得を制御することを特徴とする回転磁気ヘッド型装置。
【請求項１１】
請求項１乃至１０いずれか１項記載の回転磁気ヘッド型装置を搭載した記録再生装置。
【手続補正３】
【補正対象書類名】明細書
【補正対象項目名】０００８
【補正方法】変更
【補正の内容】
【０００８】
【課題を解決するための手段】
前記目的は、特許請求の範囲記載の発明によって達成される。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】